(57)【要約】【課題】  幕体の繰り出し方向側のガイドレール端部より外方を幕体で完全に覆うことが可能な幕体開閉装置を提供すること。【解決手段】  ガイドレール２１に沿って移動する取付具２４に略くの字状のリンク４１を回動可能に設け、ガイドレール２１端部下面にリンク４１の他端と当接するように係合部材５を突設して、幕体１３の繰り出し時に、リンク４１の揺動によって幕体１３を繰り出すようにする。【選択図】        図３
2007063943.tif 000002
【特許請求の範囲】
【請求項１】
幕体を引き上げ及び繰り出し可能な幕体開閉装置であって、
前記幕体の一端が止着された幕体支持部と、
所要の間隔をおいて並設され、前記幕体支持部を直交するように配設させたガイドレールと、
前記ガイドレールと係合された取付具を該ガイドレール上面に沿って移動させる移動手段と、
前記幕体の他端が一端に係合されると共に、他端が該ガイドレール下面側に突出され、中途部が前記取付具に該ガイドレール長手方向に向かって揺動可能に支持されたリンクと、
前記幕体の繰り出し方向側の前記ガイドレール端部下面に、前記リンクの他端と当接するように突設させた係合部材と
を備えてなることを特徴とする幕体開閉装置。
【請求項２】
前記幕体支持部は、前記ガイドレールの両端側に配設され、
前記移動手段は、前記取付具を連動させて一対の前記幕体を両開き可能に構成され、
前記リンクは、少なくとも一方の前記幕体の他端と係合され
ていることを特徴とする請求項１記載の幕体開閉装置。
【請求項３】
前記幕体支持部は、前記幕体の一端が止着された支持ロールと、該支持ロールと係合された弾性体とを備え、該弾性体の復元力によって該幕体を巻き上げ方向に付勢させていることを特徴とする請求項１または２記載の幕体開閉装置。
【請求項４】
前記ガイドレールに摺動可能に係合され、前記幕体を支持させるカーテンフックが配設されていることを特徴とする請求項１または２記載の幕体開閉装置。
【請求項５】
一端が止着された幕体を、並設したガイドレールに沿って移動する取付具に連係して引き上げ及び繰り出しをする幕体開閉方法であって、
前記取付具に前記ガイドレール長手方向に向かって中途部を揺動可能に支持したリンクの一端と前記幕体の他端とを係合し、
前記幕体の繰り出し方向側の前記ガイドレール端部下面に係合部材を突設し、
前記ガイドレール下面側に突出した前記リンクの他端と前記係合部材とが、前記幕体の繰り出し時に係合して、前記幕体の他端を該リンクの揺動によって繰り出すことを特徴とする幕体開閉方法。
【請求項６】
前記幕体を前記ガイドレールの両端側に配設すると共に、前記取付具を連動させて一対の前記幕体を両開き可能に構成し、
前記リンクを、少なくとも一方の前記幕体の他端と係合して
前記リンクの揺動によって少なくとも一方の前記幕体を繰り出して、一対の該幕体の他端同士が重なるようにしたことを特徴とする請求項５記載の幕体開閉方法。
【発明の詳細な説明】
【技術分野】
【０００１】
本発明は、シート状の幕体を電動で巻き上げ及び繰り出しを行う幕体開閉装置と、その幕体開閉制御方法に関する。
【背景技術】
【０００２】
従来から、窓などに配設して外光を遮光させり視界を遮断させるものとして、例えば、シート状の幕体を電動で巻き上げたり、繰り出しを行う幕体開閉装置がある。
【０００３】
この幕体開閉装置は様々なタイプのものがあるが、例えば、上下方向にロールスクリーン生地を降ろしていくタイプとして以下のようなものがある。すなわち、このものは、ローラによって巻き取られるロールスクリーン生地と、該ロールスクリーン生地の先端縁に取り付けられこのロールスクリーン生地を均等に引き出すスライダと、ロールスクリーン生地の両側に沿って形成された被係止部と、該被係止部がロールスクリーン生地の内側に抜け出るのを規制しつつロールスクリーン生地およびスライダを引き出し方向あるいは巻き取り方向へと案内する一対の平行なガイドレールと、このガイドレールを建造物の室外側窓枠に対しこの窓枠に形成されている既存のレールその他の縁部の形状を利用してねじ等の締結具を使用することなく着脱可能に外付けする取付用ステーとを備えて構成された外付けロールスクリーンがある。
この外付けロールスクリーンによれば、かかる構成によって、既存建造物の窓枠に室外側から後付けするのに好適である、としている（例えば特許文献１参照）。
【０００４】
また、上記とは別の幕体開閉装置として、例えば、天窓にスクリーンを張っていくタイプとして以下のようなものがある。すなわち、このものは、スクリーンを巻き取る巻取軸を取付面に回転可能に支持し、巻取軸内には該巻取軸にスクリーン巻き取り方向の回転力を付与する付勢手段を設け、スクリーンに取着されたウェイトバーにワイヤーを掛装し、ワイヤーの一端を取付面に固定するとともに、他端を操作ボックス内のワイヤー巻取軸で巻き取り可能とし、操作ボックスにはワイヤー巻取軸の不操作時に付勢手段の付勢力による該ワイヤー巻取軸の回転を阻止するストッパ装置と、ストッパ装置の作動を解除する解除手段とを備えて構成されたロールブラインドがある。このロールブラインドによれば、天窓や傾斜窓に設置した際、美観に優れ、軽微な操作力でスクリーンを駆動可能とし、かつ安価に提供できる、としている（例えば特許文献２参照）。
【０００５】
【特許文献１】特開２００５−１１３５７７号公報（第１頁、図１）
【特許文献２】特開平１０−３３１５５７号公報（第１頁、図１）
【発明の開示】
【発明が解決しようとする課題】
【０００６】
ところで、例えば、後者のような天窓にスクリーン（以下、「幕体」という）を張っていくタイプの幕体開閉装置は、前者のような幕体開閉装置のように、幕体の自重を利用して繰り出すのではなく、幕体自体を外力によって繰り出す必要がある。
そのため、後者の幕体開閉装置は、幕体の繰り出し方向側の窓枠端部に、幕体に止着させたワイヤを案内させる滑車を設け、そのワイヤを介して幕体を引き出すようにしているのが一般的である。
【０００７】
また、前者のようなガイドレールを設けた幕体開閉装置を、仮に、天窓に配設する場合も同様に、幕体の繰り出し方向側のガイドレール端部等に、幕体に止着させたワイヤを案内させる滑車が必要となる。
【０００８】
すなわち、何れのタイプの幕体開閉装置においても、幕体の繰り出し方向側には、幕体を引き出すための部材を必要としており、そのため、かかる部材のスペース分、幕を張ることができなかった。
【０００９】
また、左右に幕体を配設する所謂両開きタイプの幕体開閉装置の場合（施工場所は天窓に限らない）、左右からの幕体同士を衝合させて閉幕させるのが一般的であるが、この場合は、幕体同士の衝合部に隙間が生じてしまう惧れがあった。
【００１０】
そこで本発明は、このような状況に鑑みてなされたものであり、上記問題点を解決できる幕体開閉装置及び幕体開閉方法を提供することを目的とする。
【課題を解決するための手段】
【００１１】
上記技術課題を達成するために、本発明にかかる幕体開閉装置及び幕体開閉方法は、下記の技術的手段を講じた。
すなわち、請求項１にかかる幕体開閉装置は、幕体を引き上げ及び繰り出し可能な幕体開閉装置であって、前記幕体の一端が止着された幕体支持部と、所要の間隔をおいて並設され、前記幕体支持部を直交するように配設させたガイドレールと、前記ガイドレールと係合された取付具を該ガイドレール上面に沿って移動させる移動手段と、前記幕体の他端が一端に係合されると共に、他端が該ガイドレール下面側に突出され、中途部が前記取付具に該ガイドレール長手方向に向かって揺動可能に支持されたリンクと、前記幕体の繰り出し方向側の前記ガイドレール端部下面に、前記リンクの他端と当接するように突設させた係合部材とを備えてなることを特徴とする。
請求項２にかかる幕体開閉装置は、請求項１において、前記幕体支持部は、前記ガイドレールの両端側に配設され、前記移動手段は、前記取付具を連動させて一対の前記幕体を両開き可能に構成され、前記リンクは、少なくとも一方の前記幕体の他端と係合されていることを特徴とする。
請求項３にかかる幕体開閉装置は、請求項１または２において、前記幕体支持部は、前記幕体の一端が止着された支持ロールと、該支持ロールと係合された弾性体とを備え、該弾性体の復元力によって該幕体を巻き上げ方向に付勢させていることを特徴とする。
請求項４にかかる幕体開閉装置は、請求項１または２において、前記ガイドレールに摺動可能に係合され、前記幕体を支持させるカーテンフックが配設されていることを特徴とする。
請求項５にかかる幕体開閉方法は、一端が止着された幕体を、並設したガイドレールに沿って移動する取付具に連係して引き上げ及び繰り出しをする幕体開閉方法であって、前記取付具に前記ガイドレール長手方向に向かって中途部を揺動可能に支持したリンクの一端と前記幕体の他端とを係合し、前記幕体の繰り出し方向側の前記ガイドレール端部下面に係合部材を突設し、前記ガイドレール下面側に突出した前記リンクの他端と前記係合部材とが、前記幕体の繰り出し時に係合して、前記幕体の他端を該リンクの揺動によって繰り出すことを特徴とする。
請求項６にかかる幕体開閉方法は、請求項５において、前記幕体を前記ガイドレールの両端側に配設すると共に、前記取付具を連動させて一対の前記幕体を両開き可能に構成し、前記リンクを、少なくとも一方の前記幕体の他端と係合して  前記リンクの揺動によって少なくとも一方の前記幕体を繰り出して、一対の該幕体の他端同士が重なるようにしたことを特徴とする。
【発明の効果】
【００１２】
本発明によれば、ガイドレールに沿って移動する取付具にリンクを回動可能に設け、ガイドレール端部下面にリンクの他端と当接するように係合部材を突設して、幕体の繰り出し時に、リンクの揺動によって幕体を繰り出すようにしたから、幕体の繰り出し方向側のガイドレール端部より外方を幕体で完全に覆うことができ、したがって、天窓に当該装置を配設した場合、完全に天窓を覆うことができる。
また両開きタイプの幕体開閉装置の場合に本発明を適用することにより、幕体同士の衝合部に隙間が生じる惧れを防止して、完全に閉幕することができる。
【発明を実施するための最良の形態】
【００１３】
次に、本発明にかかる幕体開閉装置の実施の形態を説明する。なお、一つの幕体を用いて開閉させる片開きタイプの幕体開閉装置を実施の形態１に、二つ幕体を用いて開閉させる両開きタイプの幕体開閉装置を実施の形態２に例示する。
【００１４】
（実施の形態１）
実施の形態１にかかる幕体開閉装置は、図1及び図２に示すように、幕体支持部１と、ガイドレール部２と、移動手段３と、リンク部４と、係合部材５と、制御部（図示せず）とを備えて構成される。
【００１５】
幕体支持部１は、外観視略コ字状のフレーム１１に回動可能に支持された支持ロール１２と、該支持ロール１２と係合された弾性体（図示せず）とを備えて構成され、上記した支持ロール１２に、不燃性あるいは難燃性の所要長さの帯布部材からなる幕体１３の一端が止着されて、弾性体の復元力によって幕体１３を巻き上げ方向に付勢させている。
すなわち、幕体１３に引き出し方向の外力を付与することで幕体１３は引き出され、外力を開放することで、弾性体の復元力によって幕体１３は巻き上げられるようになっている。
【００１６】
ガイドレール部２は、一側面に案内溝２１ａが長手方向に亘って設けられた断面視略矩形状の中空部材からなり、例えば、凹状に画成された天窓部分に所要の間隔をおいて並設される一対のガイドレール２１と、そのガイドレール２１の一端側に直交するように、かつ一部の案内溝２１ａを塞ぐように架設され幕体支持部１を支持させた側面視略L字状の取付プレート２２と、ガイドレール２１の両端近傍に、かつ、幕体支持部１取り付け側と反対側に突設され、例えば天窓部分に取り付けるための取り付け金具２３と、案内溝２１ａに長手方向スライド可能に係合された断面視略L字状の取付具２４とを備えて構成されている。
【００１７】
移動手段３は、一対のガイドレール２１夫々の内部両端に回動可能に支持された一対の滑車（図示せず）と、その滑車を介してガイドレール２１長手方向にループ状に掛け渡されると共に取付具２４の底面と止着された無端状のワイヤ（図示せず）と、幕体支持部１側の滑車と係合され取付プレート２２の幕体支持部１取り付け側と反対側の面に固定された電動モーター３１とを備えて構成され、電動モーター３１の回動によって、ワイヤに止着された取付具２４がガイドレール２１に沿って往復動するようになっている。
【００１８】
リンク部４は、ガイドレール２１の両側面に延設された取付具２４夫々に、略中央部が揺動可能（回動可能）に支持された略くの字状の帯板状に形成された一対のリンク４１と、そのリンクの一端同士を結ぶように架設されたガイドバー４２とを備え、ガイドバー４２に幕体１３の他端が係合されると共に、リンク４１の他端がガイドレール２１下面側に突出されてなる。なお、ガイドレール２１下面側に突出されるリンク４１の他端と回動中心との長さは、幕体１３の繰り出し方向側のガイドレール２１端部を幕体１３で完全に覆えるだけの所要長さからなっている。
【００１９】
係合部材５は、幕体１３の繰り出し方向側のガイドレール２１端部近傍の側面に取り付けられ、ガイドレール２１下面側方向へ延設された板部５１と、ガイドレール２１下面側からガイドレール２１外方向へ突出するように板部５１の先部から突設された丸軸部５２とを備え、その丸軸部５２と移動してきたリンク４１の他端とが当接するような関係でもって設けられている。
【００２０】
制御部（図示せず）は、電動モーター３１と接続されたリモートコントローラー（図示せず）であり、ユーザーの操作により、電動モーター３１を回動させて幕体１３の開閉を行うようになっている。
【００２１】
以上のように構成された実施の形態１にかかる幕体開閉装置は、まず、開幕状態（幕体１３を張っていない状態）の幕体開閉装置に対し、ユーザーの操作により、電動モーター３１が回動することで幕体１３を繰り出す。
【００２２】
このとき、リンク４１を回動可能に支持した取付具２４が、ガイドレール２１に沿って移動することにより、ガイドバー４２に一端が止着された幕体１３が幕体支持部１から引き出されていく。
やがて、リンク４１の他端が、係合部材５の丸軸部５２と当接して、取付具２４を中心にリンク４１が揺動（回動）を始める。
【００２３】
さらにリンク４１が移動することで、リンク４１がさらに揺動し、これに伴い、幕体１３が幕体支持部１から引き出され、幕体１３の繰り出し方向側のガイドレール２１端部より外方を幕体１３で完全に覆った状態で閉幕動作が終了する（図３、図４参照）。
【００２４】
開幕動作は、ユーザーの操作により、電動モーター３１が逆回動することで、リンク４１を回動可能に支持した取付具２４が幕体支持部１方向へ移動する。リンク４１に一端が止着した幕体１３は、幕体支持部１に設けた弾性体の復元力によって巻き上げられる。
【００２５】
このとき、係合部材５の丸軸部５２と当接していたリンク４１の他端は、幕体１３の巻き上げによって逆方向に回動（引き戻される）して、係合部材５の丸軸部５２との当接が解除されると同時にリンク４１は初期状態の位置に戻る。そして、さらに幕体１３が初期状態の位置に戻ることにより、開幕動作が終了する。
【００２６】
このように実施の形態１にかかる幕体開閉装置は、天窓に当該装置を配設した場合、完全に天窓を覆うことが可能になっている。
【００２７】
（実施の形態２）
次に実施の形態２にかかる幕体開閉装置を説明する。実施の形態２にかかる幕体開閉装置は、その主要な構成は実施の形態１と同じであるため、実施の形態１と同一の構成部分は同一符号を付して詳細な説明は省略し、異なる構成部分について説明する。
【００２８】
実施の形態２にかかる幕体開閉装置には、図５及び図６に示すように、幕体支持部１と、ガイドレール部２と、移動手段３と、リンク部４と、係合部材５と、制御部（図示せず）とを備えて構成される。
【００２９】
幕体支持部１は、実施の形態１と同一構成からなり、ガイドレール２１の両端に配設されている。
【００３０】
ガイドレール部２は、実施の形態１とほぼ同一の構成からなる。すなわち、取付具２４は、案内溝２１ａに長手方向スライド可能に係合されリンク４１を支持させる断面視略L字状の一対の第１取付具２４ａと、案内溝２１ａに長手方向スライド可能に係合され第１の第１取付具２４ａと対向するように配設される略帯板状の一対の第２取付具２４ｂと、この一対の第２取付具２４ｂ同士を接続するように架設されると共に、リンク４１側の幕体支持部１と対向した幕体支持部１側の幕体１３の他端を止着させた第２ガイドバー２５とを備えて構成されている。
【００３１】
移動手段３は、第１取付具２４ａ及び第２取付具２４ｂとワイヤとの止着関係のみ異なり、他の構成は実施の形態１と同一構成からなる。
すなわち、一対の滑車（図示せず）を介してガイドレール２１長手方向にループ状に掛け渡された無端状のワイヤ（図示せず）の一方（平行に張架された一方のワイヤ）と第１取付具２４ａの底面とが止着され、無端状のワイヤ（図示せず）の他方（平行に張架された他方のワイヤ）と第２取付具２４ｂの底面とが止着されて、電動モーター３１の回動によって、第１取付具２４ａと第２取付具２４ｂとがガイドレール２１に沿って接離動するようになっている。
【００３２】
リンク部４は、実施の形態１と同一構成からなり、第１取付具２４ａにのみ揺動可能（回動可能）に支持されている。
係合部材５は、実施の形態１と同一構成からなり、幕体１３同士を重ねる位置の近傍に配設されている。実施の形態２では、幕体１３同士を装置の略中央で重なるように、リンク４１による引出しを加味して、リンク４１側の幕体支持部１寄りに配設されている。
【００３３】
制御部（図示せず）は、電動モーター３１と接続されたリモートコントローラー（図示せず）であり、ユーザーの操作により、電動モーター３１を回動させて幕体１３の開閉を行うようになっている。
【００３４】
以上のように構成された実施の形態２にかかる幕体開閉装置は、まず、開幕状態（幕体１３を張っていない状態）の幕体開閉装置に対し、ユーザーの操作により、電動モーター３１を回動させて対向した夫々の幕体１３を繰り出す。
【００３５】
このとき、リンク４１を回動可能に支持した第１取付具２４ａが、ガイドレール２１に沿って移動することにより、ガイドバー４２に一端が止着された一方の幕体１３が一方の幕体支持部１から引き出されていく。また、これと同時に他方の幕体１３も他方の幕体支持部１から引き出されていく。
やがて、リンク４１の他端が、係合部材５の丸軸部５２と当接して、第１取付具２４ａを中心にリンク４１が揺動（回動）を始める。
【００３６】
さらにリンク４１が移動することで、リンク４１がさらに揺動し、これに伴い、幕体１３が幕体支持部１から引き出され、他方の幕体１３の端部を完全に覆った状態で閉幕動作が終了する（図７、図８参照）。
【００３７】
開幕動作は、ユーザーの操作により、電動モーター３１が逆回動することで、リンク４１を回動可能に支持した第１取付具２４ａと第２取付具２４ｂとが、夫々の幕体支持部１方向へ移動する。夫々の幕体１３は、幕体支持部１に設けた弾性体の復元力によって巻き上げられる。
【００３８】
このとき、係合部材５の丸軸部５２と当接していたリンク４１の他端は、幕体１３の巻き上げによって逆方向に回動（引き戻される）して、係合部材５の丸軸部５２との当接が解除されると同時にリンク４１は初期状態の位置に戻る。そして、さらに幕体１３が初期状態の位置に戻ることにより、開幕動作が終了する。
【００３９】
このように実施の形態２にかかる幕体開閉装置は、幕体１３の端部同士を重ねるようにしたから、完全に閉幕することが可能になっている。
【００４０】
以上、本実施の形態にかかる幕体開閉装置を説明したが、上述した実施の形態は、本発明の好適な実施の形態の一例を示すものであり、本発明はそれに限定されるものではなく、その要旨を逸脱しない範囲内において、種々変形実施が可能である。
【００４１】
例えば、本実施の形態では、支持ロール１２に幕体１３を巻回させておくタイプを例示しているが、ガイドレール２１に幕体１３を支持させるカーテンフックを摺動可能に配設して、幕体１３を交互に折り畳む所謂カーテンタイプでも適用可能である。
【００４２】
また、ガイドレール２１下面側に突出したリンク４１の他端と係合部材５とを、幕体１３の繰り出し時に係合させて、幕体１３の他端をリンク４１の揺動によって繰り出す幕体開閉方法でも良い。この場合も、実施の形態２で例示したように、ガイドレール２１の両端側に幕体１３を配設して、両開きタイプとしても良い。
【図面の簡単な説明】
【００４３】
【図１】実施の形態１にかかる幕体開閉装置の開幕時の正面図である。
【図２】実施の形態１にかかる幕体開閉装置の開幕時の側面図である。
【図３】実施の形態１にかかる幕体開閉装置の閉幕時の側面図である。
【図４】開幕時の実施の形態１にかかる幕体開閉装置の閉幕時の背面図である。
【図５】実施の形態２にかかる幕体開閉装置の開幕時の正面図である。
【図６】実施の形態２にかかる幕体開閉装置の開幕時の側面図である。
【図７】実施の形態２にかかる幕体開閉装置の閉幕時の側面図である。
【図８】実施の形態２にかかる幕体開閉装置の閉幕時の背面図である。
【符号の説明】
【００４４】
１  幕体支持部
１１  フレーム
１２  支持ロール
１３  幕体
２  ガイドレール部
２１  ガイドレール
２１ａ  案内溝
２２  取付プレート
２３  取り付け金具
２４  取付具
２４ａ  第１取付具
２４ｂ  第２取付具
２５  第２ガイドバー
３  移動手段
３１  電動モーター
４  リンク部
４１  リンク
４２  ガイドバー
５  係合部材
５１  板部
５２  丸軸部
【図１】
2007063943.tif 000003
【図２】
2007063943.tif 000004
【図３】
2007063943.tif 000005
【図４】
2007063943.tif 000006
【図５】
2007063943.tif 000007
【図６】
2007063943.tif 000008
【図７】
2007063943.tif 000009
【図８】
2007063943.tif 000010